【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
画像から検出された被写体の情報を取得する取得手段と、ズーム制御のための被写体の基準サイズを設定する設定手段と、
前記取得手段により取得された情報に基づく被写体のサイズと前記設定手段により設定された前記基準サイズに基づいて前記ズーム制御を行う制御手段とを有し、
前記制御手段は、前記ズーム制御において、
前記基準サイズに応じて、設定されるズーム速度が徐々に大きくなるほうへ更新される第１の制御と、設定されるズーム速度が更新されない第２の制御とを切り換え、
記基準サイズが第１の基準サイズに設定された場合には前記第１の制御を行い、前記基準サイズが前記第１の基準サイズより大きい第２の基準サイズに設定された場合には前記第２の制御を行うことを特徴とするズーム制御装置。
【請求項２】
画像から検出された被写体の情報を取得する取得手段と、ズーム制御のための被写体の基準サイズを設定する設定手段と、
前記取得手段により取得された情報に基づく被写体のサイズと前記設定手段により設定された前記基準サイズに基づいて前記ズーム制御を行う制御手段とを有し、
前記制御手段は、前記ズーム制御において、
前記基準サイズに応じて、設定されるズーム速度が徐々に大きくなるほうへ更新される第１の制御と、設定されるズーム速度が更新されない第２の制御とを切り換え、
前記第２の制御において、動画記録中かつ前記ズーム制御装置が停止して第１の所定時間が経過した場合に満たされる撮影条件下では、前記撮影条件が満たされない場合よりも設定されるズーム速度が小さいことを特徴とするズーム制御装置。
【請求項３】
画像から検出された被写体の情報を取得する取得手段と、ズーム制御のための被写体の基準サイズを設定する設定手段と、
前記取得手段により取得された情報に基づく被写体のサイズと前記設定手段により設定された前記基準サイズに基づいて前記ズーム制御を行う制御手段とを有し、
前記制御手段は、前記ズーム制御において、
前記基準サイズに応じて、設定されるズーム速度が徐々に大きくなるほうへ更新される第１の制御と、設定されるズーム速度が更新されない第２の制御とを切り換え、
前記第１の制御において、更新されたズーム速度が所定の速度に達した場合、前記制御手段は、前記所定の速度で前記ズーム制御を行い、
被写体までの距離が大きいほど、前記所定速度が大きく設定されることを特徴とするズーム制御装置。
【請求項４】
画像から検出された被写体の情報を取得する取得手段と、ズーム制御のための被写体の基準サイズを設定する設定手段と、
前記取得手段により取得された情報に基づく被写体のサイズと前記設定手段により設定された前記基準サイズに基づいて前記ズーム制御を行う制御手段とを有し、
前記制御手段は、前記ズーム制御において、前記基準サイズに応じて、設定されるズーム速度が徐々に大きくなるほうへ更新される第１の制御と、設定されるズーム速度が更新されない第２の制御とを切り換え、
前記設定手段は、複数の構図の中から選択された構図に応じて前記基準サイズを設定することを特徴とするズーム制御装置。
【請求項５】
前記第１の制御で設定されるズーム速度の初速度は、前記第２の制御で設定されるズーム速度より大きいことを特徴とする請求項１乃至４のいずれか１項に記載のズーム制御装置。
【請求項６】
前記第１の制御において、更新されたズーム速度が所定の速度に達した場合、前記制御手段は、前記所定の速度で前記ズーム制御を行うことを特徴とする請求項１乃至５のいずれか１項に記載のズーム制御装置。
【請求項７】
前記第１の制御を開始して第２の所定時間が経過した場合、前記制御手段は、前記所定の速度で前記ズーム制御を行うことを特徴とする請求項６に記載のズーム制御装置。
【請求項８】
前記取得手段により取得された情報に基づく被写体のサイズと前記基準サイズとの差が大きいほど、前記所定速度が大きく設定されることを特徴とする請求項６又は７に記載のズーム制御装置。
【請求項９】
前記取得手段により取得された情報に基づく被写体のサイズと前記基準サイズとの比率に応じて、前記所定速度が設定されることを特徴とする請求項６乃至８のいずれか１項に記載のズーム制御装置。
【請求項１０】
前記ズーム制御中に前記基準サイズが変更された場合、前記制御手段は、変更後の基準サイズに基づいてズーム速度を設定することを特徴とする請求項１乃至９のいずれか１項に記載のズーム制御装置。
【請求項１１】
前記ズーム制御において、前記制御手段は、前記取得手段により取得された情報に基づく被写体のサイズが前記基準サイズに対して所定範囲内になるようにズーム倍率を変更することを特徴とする請求項１乃至１０のいずれか１項に記載のズーム制御装置。
【請求項１２】
前記ズーム倍率の変更は、光学ズームおよび電子ズームの少なくとも一方により行われることを特徴とする請求項１１に記載のズーム制御装置。
【請求項１３】
請求項１乃至１２のいずれか１項に記載のズーム制御装置と、
被写体像を光電変換して画像を生成する撮像手段を有することを特徴とする撮像装置。
【請求項１４】
被写体検出装置の制御方法であって、
画像から検出された被写体の情報を取得する取得ステップと、
ズーム制御のための被写体の基準サイズを設定する設定ステップと、
前記取得ステップで取得された情報に基づく被写体のサイズと前記基準サイズに基づいて、前記ズーム制御を行う制御ステップとを有し、
前記制御ステップにおいて、
前記基準サイズに応じて、設定されるズーム速度が徐々に大きくなるほうへ更新される第１の制御と、設定されるズーム速度が更新されない第２の制御とを切り換え、
前記基準サイズが第１の基準サイズに設定された場合には前記第１の制御を行い、前記基準サイズが前記第１の基準サイズより大きい第２の基準サイズに設定された場合には前記第２の制御を行うことを特徴とするズーム制御装置の制御方法。
【請求項１５】
被写体検出装置の制御方法であって、
画像から検出された被写体の情報を取得する取得ステップと、
ズーム制御のための被写体の基準サイズを設定する設定ステップと、
前記取得ステップで取得された情報に基づく被写体のサイズと前記基準サイズに基づいて、前記ズーム制御を行う制御ステップとを有し、
前記制御ステップにおいて、
前記基準サイズに応じて、設定されるズーム速度が徐々に大きくなるほうへ更新される第１の制御と、設定されるズーム速度が更新されない第２の制御とを切り換え、
前記第２の制御において、動画記録中かつ前記ズーム制御装置が停止して第１の所定時間が経過した場合に満たされる撮影条件下では、前記撮影条件が満たされない場合よりも設定されるズーム速度が小さいことを特徴とするズーム制御装置の制御方法。
【請求項１６】
被写体検出装置の制御方法であって、
画像から検出された被写体の情報を取得する取得ステップと、
ズーム制御のための被写体の基準サイズを設定する設定ステップと、
前記取得ステップで取得された情報に基づく被写体のサイズと前記基準サイズに基づいて、前記ズーム制御を行う制御ステップとを有し、
前記制御ステップにおいて、
前記基準サイズに応じて、設定されるズーム速度が徐々に大きくなるほうへ更新される第１の制御と、設定されるズーム速度が更新されない第２の制御とを切り換え、
前記第１の制御において、更新されたズーム速度が所定の速度に達した場合、前記制御手段は、前記所定の速度で前記ズーム制御を行い、
被写体までの距離が大きいほど、前記所定速度が大きく設定されることを特徴とするズーム制御装置の制御方法。
【請求項１７】
被写体検出装置の制御方法であって、
画像から検出された被写体の情報を取得する取得ステップと、
ズーム制御のための被写体の基準サイズを設定する設定ステップと、
前記取得ステップで取得された情報に基づく被写体のサイズと前記基準サイズに基づいて、前記ズーム制御を行う制御ステップとを有し、
前記制御ステップにおいて、前記基準サイズに応じて、設定されるズーム速度が徐々に大きくなるほうへ更新される第１の制御と、設定されるズーム速度が更新されない第２の制御とを切り換え、
前記設定ステップにおいて、複数の構図の中から選択された構図に応じて前記基準サイズを設定することを特徴とするズーム制御装置の制御方法。
【請求項１８】
請求項１４乃至１７のいずれか１項に記載のズーム制御装置の制御方法をコンピュータに実行させるように構成されていることを特徴とするズーム制御装置の制御プログラム。
【手続補正２】
【補正対象書類名】明細書
【補正対象項目名】０００８
【補正方法】変更
【補正の内容】
【０００８】
上記目的を達成するために、本発明の一側面は、画像から検出された被写体の情報を取得する取得手段と、ズーム制御のための被写体の基準サイズを設定する設定手段と、前記取得手段により取得された情報に基づく被写体のサイズと前記設定手段により設定された前記基準サイズに基づいて前記ズーム制御を行う制御手段とを有し、前記制御手段は、前記ズーム制御において、前記基準サイズに応じて、設定されるズーム速度が徐々に大きくなるほうへ更新される第１の制御と、設定されるズーム速度が更新されない第２の制御とを切り換え、記基準サイズが第１の基準サイズに設定された場合には前記第１の制御を行い、前記基準サイズが前記第１の基準サイズより大きい第２の基準サイズに設定された場合には前記第２の制御を行うことを特徴とする。その他の側面は発明を実施するための形態で説明をする。